(57)【要約】【課題】既存のラックにそのまま適用できると共に３枚以上の棚板を一体に取り付け、十分な強度を保つ。【解決手段】棚板２２の周縁部に取り付けられて、棚板２２を支柱３に任意の高さで支持する固定手段２３である。固定手段２３は、支柱３に嵌合して任意の高さで固定される支持用筒部２８と、支持用筒部２８を棚板３に支持する支持棒部２９とを備えた。支持用筒部２８は、支持棒部２９で支持された状態で、棚板２２より支持用筒部２８の寸法分だけ又はそれ以上、上側又は下側へずらした位置に設けた。棚板２２の一方に位置する支持用筒部２８は、棚板２２とほぼ同じ高さに設けられる場合もある。【選択図】　　図１
2004089351.tif 000002
【特許請求の範囲】
【請求項１】
棚板の周縁部に取り付けられて、当該棚板を支柱に任意の高さで支持する固定手段を備え、
上記棚板の一方に位置する上記固定手段が、上記棚板とほぼ同じ高さに設けられた支持用筒部を備え、
上記棚板の他方に位置する上記固定手段が、上記棚板より上記一方の支持用筒部の寸法分だけ又はそれ以上、上側又は下側へずらした位置に設けられた支持用筒部と、当該他方の支持用筒部を上記一方の支持用筒部の寸法分だけ又はそれ以上ずらした状態で上記棚板に支持する支持棒部とを備えたことを特徴とする棚板の水平連結構造。
【請求項２】
棚板の周縁部に取り付けられて、当該棚板を支柱に任意の高さで支持する固定手段を備え、
当該固定手段が、上記支柱に嵌合して任意の高さで固定される支持用筒部と、当該支持用筒部を上記棚板に支持する支持棒部とを備え、
上記支持用筒部が、上記支持棒部で支持された状態で、上記棚板より当該支持用筒部の寸法分だけ又はそれ以上、上側又は下側へずらした位置に設けられたことを特徴とする棚板の水平連結構造。
【請求項３】
上下方向に一定間隔毎に環状溝が形成された支柱と、当該支柱に支持される棚板と、当該棚板を上記支柱に任意の高さで支持する固定手段とを備えたラックにおいて、
上記棚板の一方に位置する上記固定手段が、上記棚板とほぼ同じ高さに設けられた支持用筒部を備え、
上記棚板の他方に位置する上記固定手段が、上記棚板より上記一方の支持用筒部の寸法分だけ又はそれ以上、上側又は下側へずらした位置に設けられた支持用筒部と、当該他方の支持用筒部を上記一方の支持用筒部の寸法分だけ又はそれ以上ずらした状態で上記棚板に支持する支持棒部とを備えたことを特徴とするラック。
【請求項４】
上下方向に一定間隔毎に環状溝が形成された支柱と、当該支柱に支持される棚板と、当該棚板を上記支柱に任意の高さで支持する固定手段とを備えたラックにおいて、
上記固定手段が、上記棚板に設けられて上記支柱に嵌合する支持用筒部と、当該支持用筒部を上記棚板に支持する支持棒部と、上記支柱の環状溝に嵌合した状態で上記支持用筒部と上記支柱との間に介在して支持用筒部を支柱に固定する支持用スリーブとを備え、
上記支持用筒部が、上記支持棒部で支持された状態で、上記棚板より当該支持用筒部の寸法分だけ又はそれ以上、上側又は下側へずらした位置に設けられたことを特徴とするラック。
【発明の詳細な説明】
【０００１】
【発明の属する技術分野】
この発明は、支柱の任意の高さ位置に棚板を取り付ける際に、複数枚を横に並べて同じ高さ位置に取り付けることができる棚板の水平連結構造及びそれを用いたラックに関するものである。
【０００２】
【従来の技術】
いわゆるメタルラック等のように、４本の支柱に複数段の棚板を取り付けた物置棚は一般に知られている。このような物置棚の支柱と棚板との連結構造は次のようになっている。
【０００３】
棚板１は、図２に示すように、金属線材を組み合わせて四角形板状に構成され、その角部に支持用筒部２が取り付けられている。支持用筒部２は円錐形筒状に形成されている。支柱３には、図３に示すように、環状溝４が設けられている。この環状溝４は、上下方向に一定間隔毎に形成されている。環状溝４には支持用スリーブ５が取り付けられる。この支持用スリーブ５は、二つ割りの円錐形筒状に形成され、くさびとして機能する。
【０００４】
物置棚は図４に示すように構成されている。６本の支柱３に、棚板１の四隅の支持用筒部２がそれぞれ嵌合し、環状溝４に嵌合した支持用スリーブ５が支柱３と支持用筒部２との間に介在して、支持用筒部２を支柱３に固定する。これにより、棚板１を任意の高さで支柱３に固定して、物置棚を構成する。ここでは、棚板１を横に２枚並べて物置棚を構成しているが、棚板１が隣同士で干渉しないように上下にずらして取り付けられている。
【０００５】
【発明が解決しようとする課題】
しかしながら、上記構成の場合、隣同士の棚板１が上下にずれて段差が付いてしまうため、使い勝手がよくないという問題点がある。
【０００６】
これを解消するために、上記支持用筒部２を分割して各棚板に取り付け、それらを互いに嵌合させて、隣り合う棚板を同じ高さに取り付けるようにしたものがある。しかしこの場合、支持用筒部２が分割されているため、十分な強度が保てない。
【０００７】
さらに、支持用筒部が特殊な構造であるため、上記構造の棚板を既存の物置棚に追加することはできない。
【０００８】
また、支持用筒部の丈を低くして左右の棚板に取り付け、これらをを上下に重ねて支柱３に取り付けて、隣同士の棚板を同じ高さにしたものもある。しかしこの場合、既存の物置棚に追加することはできない。このような棚板を既存の物置棚に横に並べて取り付けようとすると、上下にずらして取り付けることしかできない。
【０００９】
本発明は、上述の点に鑑みてなされたもので、既存のラックにそのまま適用できると共に十分な強度を保てる棚板の水平連結構造及びそれを用いたラックを提供することを目的とする。
【００１０】
【課題を解決するための手段】
前述した課題を解決するために第１の発明に係る棚板の水平連結構造は、棚板の周縁部に取り付けられて、当該棚板を支柱に任意の高さで支持する固定手段を備え、上記棚板の一方に位置する上記固定手段が、上記棚板とほぼ同じ高さに設けられた支持用筒部を備え、上記棚板の他方に位置する上記固定手段が、上記棚板より上記一方の支持用筒部の寸法分だけ又はそれ以上、上側又は下側へずらした位置に設けられた支持用筒部と、当該他方の支持用筒部を上記一方の支持用筒部の寸法分だけ又はそれ以上ずらした状態で上記棚板に支持する支持棒部とを備えたことを特徴とする。
【００１１】
上記構成により、複数の棚板を横に並べて組み立てる場合、固定手段の一方の支持用筒部と他方の支持用筒部とが上下に並んで支柱に取り付けられる。これにより、隣り合う棚板の各支持用筒部が干渉することがなくなる。この結果、隣り合う棚板を、その載置面を同じ高さにした状態で、互いに近接して配設することができる。
【００１２】
一方の支持用筒部を他方に支持用筒部の寸法分以上にずらす場合は、３枚以上の棚板を１本の支柱に取り付けることができる。例えば、四角形の棚板を角度を持たせて配列する場合は、隣り合う棚板の間に三角形の空間ができてしまう。このため、三角形の空間に三角形又は扇形の棚板を取り付ける。このとき、奥側の２本の支柱は２枚の棚板を取り付けるだけだが、前側の支柱は、３枚の棚板を取り付けることになる。この場合、一方の支持用筒部を他方に支持用筒部の寸法２つ分ずらした位置に設けて、３枚の棚板の３つの支持用筒部を縦に並べて支柱に取り付ける。
【００１３】
既存の棚板の支持用筒部は、通常棚板と同じ高さになっているため、本発明の棚板をそのまま使用することができる。このため、既存の棚板を必要に応じて拡張することができる。
【００１４】
第２の発明に係る棚板の水平連結構造は、棚板の周縁部に取り付けられて、当該棚板を支柱に任意の高さで支持する固定手段を備え、当該固定手段が、上記支柱に嵌合して任意の高さで固定される支持用筒部と、当該支持用筒部を上記棚板に支持する支持棒部とを備え、上記支持用筒部が、上記支持棒部で支持された状態で、上記棚板より当該支持用筒部の寸法分だけ又はそれ以上、上側又は下側へずらした位置に設けられたことを特徴とする。
【００１５】
上記構成により、棚板の支持用筒部が上側又は下側へずらした位置に設けられているため、本発明の棚板の両側に既存の棚板を設けることができ、既存の棚板を必要に応じて拡張することができる。
【００１６】
第３の発明に係るラックは、上下方向に一定間隔毎に環状溝が形成された支柱と、当該支柱に支持される棚板と、当該棚板を上記支柱に任意の高さで支持する固定手段とを備えたラックにおいて、上記棚板の一方に位置する上記固定手段が、上記棚板とほぼ同じ高さに設けられた支持用筒部を備え、上記棚板の他方に位置する上記固定手段が、上記棚板より上記一方の支持用筒部の寸法分だけ又はそれ以上、上側又は下側へずらした位置に設けられた支持用筒部と、当該他方の支持用筒部を上記一方の支持用筒部の寸法分だけ又はそれ以上ずらした状態で上記棚板に支持する支持棒部とを備えたことを特徴とする。
【００１７】
上記構成により、上記第１の発明と同様に、隣り合う棚板を、その載置面を同じ高さにした状態で、互いに近接して配設することができ、３枚の棚板を１本の支柱に取り付けることができる。また、既存の棚板を必要に応じて拡張することができる。
【００１８】
第４の発明に係るラックは、上下方向に一定間隔毎に環状溝が形成された支柱と、当該支柱に支持される棚板と、当該棚板を上記支柱に任意の高さで支持する固定手段とを備えたラックにおいて、上記固定手段が、上記棚板に設けられて上記支柱に嵌合する支持用筒部と、当該支持用筒部を上記棚板に支持する支持棒部と、上記支柱の環状溝に嵌合した状態で上記支持用筒部と上記支柱との間に介在して支持用筒部を支柱に固定する支持用スリーブとを備え、上記支持用筒部が、上記支持棒部で支持された状態で、上記棚板より当該支持用筒部の寸法分だけ又はそれ以上、上側又は下側へずらした位置に設けられたことを特徴とする。
【００１９】
上記構成により、上記第２の発明と同様に、本発明の棚板の両側に既存の棚板を設けることができ、既存の棚板を必要に応じて拡張することができる。
【００２０】
【発明の実施の形態】
以下、本発明に係る、棚板の水平連結構造及びそれを用いたラックについて、図面を参照しながら説明する。
【００２１】
［第１の実施形態］
本発明の第１の実施形態について説明する。図１は本実施形態に係るラックの棚板及び固定手段を示す斜視図、図５は本実施形態に係るラックを示す斜視図である。
【００２２】
本実施形態に係るラック２１は、設置スペースの大きさ等に応じて任意の枚数の棚板を横に並べて組み立てることができるようにしたものである。
【００２３】
本実施形態に係るラック２１は、図５に示すように、支柱３と、支柱３に支持される棚板２２と、この棚板２２を各支柱３に固定する固定手段２３とから構成されている。
【００２４】
支柱３は、図３に示す従来の支柱３と同様である。この支柱３は、断面形状が円形の棒材で構成され、その外周面に環状溝４が形成されている。環状溝４は、後述する支持用スリーブ５の係止用凸条６が嵌合することでこの支持用スリーブ５を支持するための溝である。この環状溝４は、支柱３の外周面に環状に形成され、一定間隔をおいて上下に複数設けられている。環状溝４の位置は、ラック２１の大きさ等に合わせて適宜設定される。支柱３の全長は、ラック１が設置される場所の高さに応じて適宜設定される。
【００２５】
棚板２２は、図１及び図５に示すように、四角形板状に形成されている。具体的には、物の載置面となる床板部２５と、床板部２５の周縁を覆う周縁壁部２６とから構成されている。
【００２６】
床板部２５は、金属線材を縦横に組み合わせて四角形の平板状に形成されている。床板部２５の大きさは、設置位置の状況等に応じて適宜設定される。
【００２７】
周縁壁部２６は、床板部２５の周縁から垂直方向へ垂下して形成されている。周縁壁部２６は、上下２本の水平線材２６Ａ，２６Ｂと、これらの水平線材２６Ａ，２６Ｂの間に設けられ波打つように曲げて各水平線材２６Ａ，２６Ｂをつなぐ中間線材２６Ｃとを組み合わせて構成されている。
【００２８】
固定手段２３は、図１及び図５に示すように、棚板２２の四隅にそれぞれ設けられている。各固定手段２３は、棚板２２の左右で構成が異なっている。
【００２９】
棚板２２の一方に位置する固定手段２３（例えば図５中の右側の棚板２２のうちの右側の２つの固定手段２３）は、支持用筒部２８と、支持用スリーブ５（図３参照）とから構成されている。
【００３０】
支持用筒部２８は、棚板２２を支柱３に、支持用スリーブ５を介して固定するための部材である。支持用筒部２８は、その内部に円錐形状の嵌合穴（図示せず）を有している。この嵌合穴は、支持用スリーブ５とほぼ整合するように、上方へ向けて内径を縮小させて形成されている。これにより、支持用スリーブ５の内周面に設けられた後述の係止用凸条６（図３参照）が支柱３の環状溝４に嵌合した状態で、支持用筒部２８を支持用スリーブ５にその上側から嵌合させることで、支持用筒部２８が支持用スリーブ５を締め付けるようになっている。即ち、支持用スリーブ５がくさびとして機能して支柱３の外側面と支持用筒部２８の嵌合穴の内側面とに圧接されて、支持用筒部２８を支柱３に確実に固定させる。これにより、支持用スリーブ５の係止用凸条６を支柱３の任意の位置の環状溝４に嵌合させて、支持用筒部２８を支持用スリーブ５に取り付けることで、棚板２２を任意の高さで支柱３に固定することができるようになっている。
【００３１】
支持用筒部２８は、棚板２２の周縁壁部２６の水平線材２６Ａ，２６Ｂに直接に接合されて、上記棚板２２とほぼ同じ高さに設けられている。
【００３２】
支持用スリーブ５は、上述した従来の支持用スリーブ５と同様のもので、支柱３の環状溝４に嵌合して支柱３に固定されるための部材である。この支持用スリーブ５は、支柱３を包み込むように二つ割りの円錐形筒状に形成されている。円錐形筒状に形成された支持用スリーブ５は、上方へ向けて直径が縮小し、くさびとして機能するようになっている。支持用スリーブ５の内側面には、支柱３の環状溝４に直接に嵌合する係止用凸条６が設けられている。この係止用凸条６は円環状にかつ細い凸条に形成されている。この係止用凸条６が環状溝４に嵌合した状態で、二つ割りの支持用スリーブ５が支柱３を包み込むように取り付けられることにより、支持用スリーブ５が支柱３に対して上下方向へずれることなく、確実に支持されるようになっている。
【００３３】
棚板２２の他方に位置する固定手段２３（図５中の右側の棚板２２のうちの左側の２つの固定手段２３）は、支持用筒部２８と、支持棒部２９（図１参照）と、支持用スリーブ５とから構成されている。
【００３４】
ここで、支持用筒部２８及び支持用スリーブ５は、上記棚板２２の一方に位置する固定手段２３の支持用筒部２８及び支持用スリーブ５と同様である。
【００３５】
支持棒部２９は、支持用筒部２８を下方へずらした状態で棚板２２に支持するための部材である。支持棒部２９は、図１に示すように、周縁壁部２６の水平線材２６Ａ，２６Ｂを下方へ垂下して形成されている。この支持棒部２９の寸法は、その先端に取り付けられる支持用筒部２８が、床板部２５の面から２つの支持用筒部２８の寸法分だけ下方にずれた位置で支持棒部２９に支持されるように設定されている。
【００３６】
なお、図５中の左側の棚板２２は、従来の棚板と同じ構成で、４つの支持用筒部２８が全て床板部２５と同じ高さに取り付けられている。
【００３７】
［動作］
以上のように構成されたラック２１は、次のようにして組み立てられる。
【００３８】
棚板２２を２枚並べた状態で、それらの各支持用筒部２８の位置に６本の支柱３が配設される。支柱３に支持用筒部２８を通し、任意の位置に支持用スリーブ５を取り付けて、その上側から支持用筒部２８を嵌合させる。これにより、棚板２２が支柱３に取り付けられる。
【００３９】
このとき、図５中の中央の２本の支柱３では、まず右側の本実施形態に係る棚板２２が先に取り付けられる。支持用スリーブ５が支柱３に取り付けられて、支持用筒部２８が嵌合される。次に、この支持用筒部２８の上側位置で、支持用スリーブ５が支柱３に取り付けられて、従来の棚板２２の支持用筒部２８が嵌合される。
【００４０】
これにより、左右の棚板２２が、その床板部２５を同じ高さに保った状態で、支柱３に堅固に取り付けられる。
【００４１】
［効果］
以上のように、支持用筒部２８を支持棒部２９で、床板部２５の面から下方にずれた位置に支持したので、横に並べた棚板２２を、段差なく同じ高さに取り付けることができる。
【００４２】
また、既存のラックの棚板と同じ構造の支持用筒部２８を用いたので、既存のラックに対して、そのまま使用することができる。この場合も、横に並べた棚板２２を、段差なく同じ高さに取り付けることができる。
【００４３】
支持用筒部２８は、既存のラックの支持用筒部と同じ、円筒形状の部材を使用したので、十分な強度を確保することができる。
【００４４】
［第２の実施形態］
次に、本発明の第２の実施形態について説明する。
【００４５】
本実施形態のラックの全体構成は、第１の実施形態に係るラック２１とほぼ同様であるため、ここでは特徴部分を中心に説明する。
【００４６】
本実施形態では、図１に示す棚板２２と、図６に示す棚板３１とを用いる。
【００４７】
棚板３１は、その断面形状が三角形又は扇形に形成されている。この棚板３１の角度は、左右の棚板２２の配列角度に応じて設定される。例えば、左右の棚板２２を僅かな角度を持たせて配列する場合は、棚板３１は鋭角のくさび状になる。
【００４８】
棚板３１の各角部には、固定手段３２が設けられている。この固定手段３２は、支持用筒部２８と、支持棒部３３と、支持用スリーブ５とから構成されている。
【００４９】
支持用筒部２８及び支持用スリーブ５は、上記第１の実施形態の支持用筒部２８及び支持用スリーブ５と同様に構成されている。
【００５０】
支持棒部３３の寸法は、上記第１の実施形態の支持棒部２９よりも短く設定されている。具体的には、床板部２５の面から１つの支持用筒部２８の寸法分だけ下方にずれた位置で支持用筒部２８を支持するように設定されている。
【００５１】
［動作］
以上のように構成されたラックは、次のようにして組み立てられる。
【００５２】
２枚の四角形の棚板２２を一定の角度を持たせて配列した状態で、それらの間にできる三角形の空間に棚板３１を配設する。次いで、それらの各支持用筒部２８の位置に７本の支柱３が配設される。支柱３に支持用筒部２８を通し、任意の位置に支持用スリーブ５を取り付けて、その上側から支持用筒部２８を嵌合させる。これにより、棚板２２が支柱３に取り付けられる。
【００５３】
このとき、中央の前側の支柱３では、３枚の棚板２２，３１が取り付けられる。このときは、まず上記第１の実施形態に係る図１の棚板２２が先に取り付けられる。支持用スリーブ５が支柱３に取り付けられて、支持用筒部２８が嵌合される。次に、本実施形態に係る図６の棚板３１が取り付けられる。上記棚板２２の支持用筒部２８の上側で、支持用スリーブ５が支柱３に取り付けられて、支持用筒部２８が嵌合される。さらに、この棚板３１の支持用筒部２８の上側位置で、支持用スリーブ５が支柱３に取り付けられて、従来の棚板２２の支持用筒部２８が嵌合される。
【００５４】
これにより、左右の棚板２２及び中央の棚板３１が、その床板部２５を同じ高さに保った状態で、支柱３に堅固に取り付けられる。
【００５５】
なお、中央の後側の支柱３では、左右の棚板２２と中央の棚板３１の２枚が、１本の支柱３にそれぞれ取り付けられる。
【００５６】
［効果］
以上のように、左右の棚板２２と中央の棚板３１の３枚の棚板を、１本の支柱３に支持することができるようになる。
【００５７】
また、左右の棚板２２を一定の角度をもって配列することができると共に、それらの間を面一の連続した床面にすることができる。
【００５８】
［変形例］
（１）　上記各実施形態では、支持棒部２９，３３によって支持用筒部２８を棚板２２，３１から下側へずらして支持しているが、支持用筒部２８を棚板２２，３１から上側へずらしてもよい。この場合も、上記各実施形態と同様の作用、効果を奏することができる。
【００５９】
（２）　第１実施形態では、支持棒部２９を支持用筒部２８二つ分の寸法（支持用筒部２８が２つの支持用筒部２８の分だけ下方にずれた位置で支持される寸法）に設定したが、図６に示すように、支持用筒部２８一つ分の寸法に設定してもよい。この場合も、上記第１実施形態と同様の作用、効果を奏することができる。
【００６０】
また、棚板２２の一方の支持用筒部２８のみを、支持棒部２９で下方にずれて支持したが、一方の支持用筒部２８を支持棒部２９で下方にずれて支持してもよい。この場合、棚板２２の両側に、従来の棚板を取り付けることができるようになる。
【００６１】
（３）　第２実施形態では、３枚の棚板を１本の支柱で支持するようにしたが、支持棒部２９の寸法を適宜調整することで、４枚以上の棚板を１本の支柱に支持することもできる。
【００６２】
例えば、パソコンラックとして使用する場合には、左右の２枚の棚板２２及び、それらの間に設けられる三角形の棚板３１と共に、マウスパッドを設けることがある。このマウスパッドは、支柱３に回動可能に設けられ、使用しないときは、棚板２２，３１の下側に収納しておく。これ以外にも、種々の態様で、４枚以上の棚板を１本の支柱に支持する場合がある。
【００６３】
（４）　第２実施形態では、左右の棚板２２の間に設ける棚板として、三角形状の棚板３１を例に説明したが、四角形又は五角形以上でもよい。レイアウト、デザイン等の関係で、四角形又は五角形以上の棚板３１を使用することができる。これに応じて、支柱３の本数も設定する。
【００６４】
【発明の効果】
以上、詳細に説明したように本発明によれば、次のような効果を奏することができる。
【００６５】
（１）　棚板の一方に位置する上記固定手段の支持用筒部を上記棚板とほぼ同じ高さに設けると共に、他方に位置する上記固定手段の支持用筒部を、支持棒部に支持した状態で、上記棚板より上記一方の支持用筒部の寸法分だけ又はそれ以上、上側又は下側へずらした位置に設けたので、横に並べた棚板を、段差なく同じ高さに取り付けることができる。
【００６６】
また、既存のラックの棚板と同じ構造の支持用筒部を用いたので、既存のラックに対して、そのまま使用することができる。この場合も、横に並べた棚板を、段差なく同じ高さに取り付けることができる。
【００６７】
特に、棚板の全ての固定手段の支持用筒部を、支持棒部に支持した状態で、上記棚板より上記一方の支持用筒部の寸法分だけ又はそれ以上、上側又は下側へずらした位置に設けることにより、既存のラックを左右にそのまま連結することができる。この場合も、横に並べた棚板を、段差なく同じ高さに取り付けることができる。
【００６８】
（２）　支持用筒部として、既存のラックの支持用筒部と同じ円筒形状の部材を使用したので、十分な強度を確保することができる。
【００６９】
（３）　支持用筒部を支持する支持棒部の長さを適宜調整することにより、左右の棚板と中央の棚板の３枚、又は４枚以上の棚板を、１本の支柱３に支持することができるようになる。
【００７０】
また、左右の棚板を任意の角度に配列することができると共に、それらの間を面一の連続した床面にすることができる。
【図面の簡単な説明】
【図１】本発明の第１の実施形態に係る棚板及び固定手段を示す斜視図である。
【図２】従来の棚板及び固定手段を示す正面図である。
【図３】従来の支柱及び支持用スリーブを示す斜視図及び正面図である。
【図４】従来の物置棚を示す正面図である。
【図５】本発明に係るラックを示す斜視図である。
【図６】本発明の第２の実施形態に係る棚板及び固定手段を示す斜視図である。
【符号の説明】
３：支柱、４：環状溝、５：支持用スリーブ、６：係止用凸条、２１：ラック、２２：棚板、２３：固定手段、２５：床板部、２６：周縁壁部、２６Ａ，２６Ｂ：水平線材、２６Ｃ：中間線材、２８：支持用筒部、２９：支持棒部。
【図１】
2004089351.tif 000003
【図２】
2004089351.tif 000004
【図３】
2004089351.tif 000005
【図４】
2004089351.tif 000006
【図５】
2004089351.tif 000007
【図６】
2004089351.tif 000008